(57)【特許請求の範囲】
【請求項１】
第２の弾性材よりも小さな断面積をもって安定した反発弾性を有する第１の弾性材と、この第１の弾性材よりも成形の容易な素材からなる第２の弾性材とを備える複合バネ材であって、
前記第２の弾性材が支持突部を突き出し状態に備えた基部と、該基部から該基部の両側方に向けて一体に備えられている一対の弾性片部と、該弾性片部の夫々の先端側に前記支持突部の突き出し側と同一の側に突き出すように備えられている接触突部とを有しており、
前記第１の弾性材の両端部が夫々前記第２の弾性材における前記弾性片部の先端側を前記接触突部の突き出し方向に弾発させるように該第１の弾性材の両端間にある部分が前記第２の弾性材における支持突部に支持され、且つ、該第１の弾性材の夫々の端部を該第２の弾性材における弾性片部の先端側に支持させてあると共に、前記接触突部の先端が前記複合バネ材における弾発接触部とされていることを特徴とする複合バネ材。
【請求項２】
前記第１の弾性材が細長状弾性材であり、しかも、前記第２の弾性材における前記弾性片部が長さ方向に向けて厚さ方向に貫通するスリットを備え且つ該弾性片部の先端側の前記支持突部の突き出し側と反対の側に該スリットに連通する当接凹溝を備え且つ前記支持突部が該支持突部の先端部に該当接凹溝と同一の向きの支持凹溝を備えており、
前記第１の弾性材の両端部が夫々前記第２の弾性材における弾性片部の先端側を前記接触突部の突き出し方向に弾発させるように該第１の弾性材の両端間にある部分が前記支持突部の支持凹溝の溝底に支持され、且つ、該第１の弾性材の夫々の端部を前記スリットに連続されている前記当接凹溝の溝底に支持させてあることを特徴とする請求項１に記載の複合バネ材。
【請求項３】
前記基部が、装着対象部材に対して前記弾性片部を接しないように組付ける組付け部を備えていることを特徴とする請求項１又は請求項２に記載の複合バネ材。
【請求項４】
前記複合バネ材が互いに向き合った面間に備えられる複合バネ材であって、前記基部が、装着対象部材に対する組付け部と、この組付け部の先端側にある接触先端部とを有しており、該接触先端部を互いに向き合った面の一方の側の面に接し且つ前記弾性片部の接触突部を他方の側の面に接して前記面間に移動可能且つ弾発状態に備えられることを特徴とする請求項１、請求項２又は請求項３に記載の複合バネ材。
【請求項５】
前記第２の弾性材がプラスチック製弾性材であることを特徴とする請求項１、請求項２、請求項３又は請求項４に記載の複合バネ材。
【請求項６】
前記第１の弾性材が金属製弾性材であることを特徴とする請求項１、請求項２、請求項３、請求項４又は請求項５に記載の複合バネ材。
【発明の詳細な説明】
【０００１】
【発明の属する技術分野】
この発明は要求される各種の形態を備え、しかも、要請される弾発機能を確実に備え得るようにした製作の容易な複合バネ材の提供に関する。
【０００２】
【従来の技術】
各種の弾発の手段に用いられるバネ材は、夫々要請される弾発機能を奏し得る素材を用いて、夫々に要請される使用形態に対応した構造を備えたものとして構成提供されてきている。
【０００３】
かかるバネ材として、例えば、安定した反発弾性を要請される弾発の手段として安定した反発弾性を備えた鋼製のバネ材が用いられている。また、組付け用いられる各種の複雑な組付け形態の具備の要請される弾発手段として成形性の良好なプラスチック製のバネ材が用いられている。
【０００４】
【発明が解決しようとする課題】
かかる鋼材などのように比較的小さな断面積をもって安定した反発弾性を有する弾発手段は個々に要請される弾発特性を効果的に備えたバネ材の製作提供に適する反面、各個別に要請される組付け機能などの特有の構造を備えたバネ材の構成が難しく、かかる特有の構造を備えたバネ材の構成には多くの製作手間を要し、しかも、素材自体のコストも比較的割高とされ、構成される弾発手段としてのバネ材が割高となる不具合があった。
【０００５】
また、プラスチック材を用いたバネ材にあっては、各種の要求に対応した形態を効果的に備えたバネ材を比較的容易に、しかも、比較的低コストで提供し得る利点を有する反面、構成されるバネ材に対して所期の要請される弾発特性を安定にもたらし難い不具合があった。
【０００６】
この発明は、他方の弾性材よりも小さな断面積で安定した反発弾性を有する第１の弾性材と、この第１の弾性材よりも成形の容易な素材からなる第２の弾性材とを用いて複合バネ材を構成することによって、安定した反発弾性を有し、しかも、各種の使用形態に対応する構造を備えた複合バネ材を比較的容易に、且つ廉価に製作提供しようとするものである。
【０００７】
【課題を解決するための手段】
請求項１に記載の発明では、前記の目的を達成するために、 第２の弾性材よりも小さな断面積をもって安定した反発弾性を有する第１の弾性材と、この第１の弾性材よりも成形の容易な素材からなる第２の弾性材とを備える複合バネ材であって、
前記第２の弾性材が支持突部を突き出し状態に備えた基部と、該基部から該基部の両側方に向けて一体に備えられている一対の弾性片部と、該弾性片部の夫々の先端側に前記支持突部の突き出し側と同一の側に突き出すように備えられている接触突部とを有しており、
前記第１の弾性材の両端部が夫々前記第２の弾性材における前記弾性片部の先端側を前記接触突部の突き出し方向に弾発させるように該第１の弾性材の両端間にある部分が前記第２の弾性材における支持突部に支持され、且つ、該第１の弾性材の夫々の端部を該第２の弾性材における弾性片部の先端側に支持させてあると共に、前記接触突部の先端が前記複合バネ材における弾発接触部とされていることを特徴とする複合バネ材としてある。
【０００８】
このように構成される複合バネ材にあっては、構成される複合バネ材に対して、要請される所期の反発弾性を確実にもたらし得ると共に、各種の使用態様などに対応する形状、構造を備えた複合バネ材を確実に、しかも、容易に製作提供できる。
【０００９】
また、請求項２に記載の発明では、前記の目的を達成するために、前記請求項１に記載の発明において、前記第１の弾性材が細長状弾性材であり、しかも、前記第２の弾性材における前記弾性片部が長さ方向に向けて厚さ方向に貫通するスリットを備え且つ該弾性片部の先端側の前記支持突部の突き出し側と反対の側に該スリットに連通する当接凹溝を備え且つ前記支持突部が該支持突部の先端部に該当接凹溝と同一の向きの支持凹溝を備えており、
前記第１の弾性材の両端部が夫々前記第２の弾性材における弾性片部の先端側を前記接触突部の突き出し方向に弾発させるように該第１の弾性材の両端間にある部分が前記支持突部の支持凹溝の溝底に支持され、且つ、該第１の弾性材の夫々の端部を前記スリットに連続されている前記当接凹溝の溝底に支持させてあることを特徴とする複合バネ材としてある。
【００１０】
このように構成される複合バネ材にあっては、前記の特長に併せて、所期の弾性を備えた細幅の構成からなり、しかも、簡素な構成で容易に組付け得る複合バネ材とされる。
【００１１】
また、請求項３に記載の発明では、前記の目的を達成するために、前記請求項１又は請求項２に記載の発明において、前記基部が、装着対象部材に対して前記弾性片部を接しないように組付ける組付け部を備えていることを特徴とする複合バネ材としてある。
【００１２】
このように構成される複合バネ材にあっては、前記の特長に併せて、装着対象部材を他の部材に対して緩衝又は弾発状態に組み合わせることができる。
【００１３】
また、請求項４に記載の発明では、前記の目的を達成するために、前記請求項１、請求項２又は請求項３に記載の発明において、前記複合バネ材が互いに向き合った面間に備えられる複合バネ材であって、前記基部が、装着対象部材に対する組付け部と、この組付け部の先端側にある接触先端部とを有しており、該接触先端部を互いに向き合った面の一方の側の面に接し且つ前記弾性片部の接触突部を他方の側の面に接して前記面間に移動可能且つ弾発状態に備えられることを特徴とする複合バネ材としてある。
【００１４】
このように構成される複合バネ材にあっては、前記の特長に併せて、装着対象部材を他の部材間に移動可能且つ弾発状態に維持できる。
【００１５】
また、請求項５に記載の発明では、前記の目的を達成するために、前記請求項１、請求項２、請求項３又は請求項４に記載の発明において、前記第２の弾性材がプラスチック製弾性材であることを特徴とする複合バネ材としてある。
【００１６】
このように構成される複合バネ材にあっては、前記の特長に併せて、各種の形状、構造を有する第２の弾性材をプラスチック成形によって容易且つ確実に、しかも比較的安価に提供できる。
【００１７】
また、請求項６に記載の発明では、前記の目的を達成するために、前記請求項１、請求項２、請求項３、請求項４又は請求項５に記載の発明において、前記第１の弾性材が金属製弾性材であることを特徴とする複合バネ材としてある。
【００１８】
このように構成される複合バネ材にあっては、前記の特長に併せて、小さな断面積で安定した反発弾性を有する金属製弾性材によって安定した弾発性を有する断面積の小さな複合バネ材を構成することができる。
【００１９】
【発明の実施の形態】
以下、本発明の典型的な実施の形態に係る複合バネ材Ａについて詳細に説明する。
【００２０】
図１〜図１０は、この典型的な第１の実施の形態に係る複合バネ材Ａを示すものであって、図１は当該複合バネ材Ａの構成部品を分離した状態を装着対象部材Ｂと共に斜め上方から見て、図２は該分離状態にある構成部品を正面側から見て、図３は当該複合バネ材Ａを正面側から見て、図４はこれを背面側から見て、図５はこれを装着対象部材Ｂの要部と共に上面側から見て、図６はこれを下面側から見て、図７はこれを装着対象部材Ｂと共に右側から見て、図８はこれを長さ方向で縦断面して示しており、図９は当該複合バネ材Ａにおける中央部分でこれを縦方向で断面した切断端面図を、図１０は当該複合バネ材Ａにおける先端部側で縦方向で断面した切断端面図を夫々示している。
図１１は他の実施の形態に係る複合バネ材Ａをその部品を分離した状態を装着対象部材Ｂと共に上方から見て示している。
図１２〜図１９は当該複合バネ材Ａを装着対象部材Ｂに組み付けて用いる典型的な各具体例を示すものであって、図１２は、装着対象部材Ｂに複合バネ材Ａを備えた状態でガイド溝Ｄに組み付け用いる状態を斜め上方から見て示しており、図１３は装着対象部材Ｂに組み付けた状態を縦断面で、図１４はその組み付けた状態を平断面の状態で、図１５はこれを縦方向で断面して、図１６はこれを更に切断位置を変えて縦方向で断面して示している。
図１７及び図１８は、郵便受け箱Ｅの開口部Ｆに備えられるガイドフレーム４０のガイド溝Ｄに上下動自在に備えられている開閉蓋３０に当該複合バネ材Ａを備えさせた状態を図１７では該開閉蓋３０を閉じている状態で、図１８では該開閉蓋３０を開いている状態で夫々縦方向の断面として示している。また、図１９は当該複合バネ材Ａを備えた郵便受け箱Ｅの開口部Ｆに備えられている前記開閉蓋３０を開いた状態で水平方向で断面して示している。
【００２１】
この典型的な実施の形態に係る複合バネ材Ａは、第２の弾性材２０よりも小さな断面積をもって安定した反発弾性を有する第１の弾性材１０と、この第１の弾性材１０よりも成形の容易な素材からなる第２の弾性材２０とを備える複合バネ材Ａであって、前記第２の弾性材２０が支持突部２１Ｄを突き出し状態に備えた基部２１と、該基部２１から該基部２１の両側方に向けて一体に備えられている一対の弾性片部２３、２３と、該弾性片部２３の夫々の先端側に前記支持突部２１Ｄの突き出し側と同一の側に突き出すように備えられている接触突部２５とを有しており、前記第１の弾性材１０の両端部１１ａが夫々前記第２の弾性材２０における前記弾性片部２３の先端側を前記基部２１と反対方向に弾発させるように該第１の弾性材１０の両端間にある部分１１ｂを前記第２の弾性材２０における支持突部２１Ｄに支持させ、且つ、該第１の弾性材１０の夫々の端部１１ａを該第２の弾性材２０における弾性片部２３の先端側に支持させてあると共に、前記接触突部２５の先端が前記複合バネ材Ａにおける弾発接触部２５’として構成してある。
【００２２】
まず、この実施の形態に係る複合バネ材Ａを構成する第１の弾性材１０は、前記第２の弾性材２０に組付け用い得る形状、構造を有し、しかも、この第２の弾性材２０よりも大気温範囲において小さな断面積をもって安定した反発弾性を有する素材からなるものであれば、いかなる素材によって構成されていてもよく、また、いかなる形状、構造を有するものとして構成されていてもよく、典型的には、細長状で前記第２の弾性材２０よりも小さな断面積において安定した反発弾性を有する細長状弾性材１１によって構成される。
【００２３】
かかる典型的な細長状弾性材１１は、例えば、各種の金属製弾性材によって構成することができる。
かかる金属製の弾性材は、例えば、典型的には棒状の鋼材や平板状の鋼材などがあり、例えば、ピアノ線などの棒状弾性材１１’を用いて前記複合バネ材Ａを構成する第１の弾性材１０とすることができる。
また、他の実施の形態に係る複合バネ材Ａを構成する第１の弾性材１０として示されるように板バネなどの板状弾性材１１”を用いて当該複合バネ材Ａを構成する第１の弾性材１０とすることができる。
【００２４】
かかる複合バネ材Ａの構成に用いられる第１の弾性材１０は、この複合バネ材Ａを構成する第２の弾性材２０よりも小さな断面積をもって安定した反発弾性を有する前記各素材を用い、構成される複合バネ材Ａに要請される弾発性を当該複合バネ材Ａにもたらし得る断面積と長さとを備えたものとして用意される。
【００２５】
次いで、この第１の弾性材１０と共に前記複合バネ材Ａを構成する第２の弾性材２０は、該第１の弾性材１０よりも成形の容易な素材によって構成してあり、前記第１の弾性材１０を組付けるための手段や、この第１の弾性材１０を組付けて構成される当該複合バネ材Ａを開閉蓋３０などに組付けるための手段や、当該複合バネ材Ａを向き合った面Ｃ間に備えさせ、あるいは、向き合った面Ｃ間に移動可能に弾発状態に備えさせるための手段などの必要部分を当該第２の弾性材２０に都合よく備えさせるのに適した素材によって構成される。
【００２６】
かかる第２の弾性材２０を構成する典型的な素材としては、型成形などに都合の良い各種の素材、例えば、プラスチック成形材料があり、例えば、前記成形性と共に当該複合バネ材Ａを摺動手段としての機能を備えたものとして構成する場合にあっては、この摺動手段としての複合バネ材Ａに所要の引っ張り強さや、曲げ強さ、摩擦係数などを満足させる点から、ポリアセタール樹脂、６−ナイロンや、６６−ナイロンなどのポリアミド樹脂、ＰＢＴ（ポリブチレンテレフタレート）、フッ素樹脂などの素材が用いられる。
【００２７】
この実施の形態に係る複合バネ材Ａを構成する第２の弾性材２０は、支持突部２１Ｄを突き出し状態に備えた基部２１と、該基部２１から該基部２１の両側方に向けて一体に備えられている一対の弾性片部２３と、該弾性片部２３の夫々の先端側に前記支持突部２１Ｄの突き出し側と同一の側に突き出すように備えられている接触突部２５とを備えて構成されたプラスチック成形品によって構成してある。
【００２８】
また、この実施の形態に係る複合バネ材Ａを構成する第２の弾性材２０は、前記基部２１が、装着対象部材Ｂに対して前記弾性片部２３を接しないように組付ける組付け部２１Ａを備えた構成としてある。
【００２９】
かかる複合バネ材Ａを構成する典型的な第２の弾性材２０における基部２１は、装着対象部材Ｂに対する組付け部２１Ａと、この組付け部２１Ａの先端側にある接触先端部２１Ｂとを有しており、該接触先端部２１Ｂを前記装着対象部材Ｂの互いに向き合った面Ｃ’、Ｃ”の一方の側の面Ｃ’に接し且つ前記弾性片部２３の接触突部２５を他方の側の面Ｃ”に接して前記面Ｃ’、Ｃ”間に移動可能且つ弾発状態に備えられる構成としてある。
【００３０】
この図示例に係る第２の弾性材２０を構成する基部２１は、本体部２１ａと、該本体部２１ａの一端側から両側方に向けて突き出すように該本体部２１ａに一体に備えられている張り出し部２１ｂ、２１ｂと，この両側方に突き出されている張り出し部２１ｂ間にある前記該本体部２１ａから隆起するように該本体部２１ａに一体に備えられている弧状隆起部２１ｅと、該本体部２１ａの他端側から該本体部２１ａに略直角に屈曲して該本体部２１ａに一体に備えられる屈曲部２１ｃとを有する構成としてあり、前記弧状隆起部２１ｅが前記支持突部２１Ｄとして機能し、しかも、前記本体部２１ａ側にある張り出し部２１ｂの面２１ｂ’と、前記屈曲部２１ｃにおける該張り出し部２１ｂの側を向いている面２１ｃ’との間が前記装着対象部材Ｂに対する組付け部２１Ａとして機能するように構成してあると共に、前記本体部２１ａの延長方向にある前記屈曲部２１ｃの面２１ｃ”が前記接触先端部２１Ｂとして機能するように構成してある。
【００３１】
また、この図示例に係る第２の弾性材２０を構成する基部２１は、当該複合バネ材Ａを前記装着対象部材Ｂに組付けた状態で前記向き合った面Ｃ’、Ｃ”間に、前記接触先端部２１Ｂを一方の側の面Ｃ’に接しさせると共に前記弾性片部２３の接触突部２５を他方の側の面Ｃ”に接しさせ、しかも、該面Ｃ’、Ｃ”間にある面Ｃに該装着対象部材Ｂに備えさせた当該複合バネ材Ａの側面を接して組付ける際の接触部２１Ｃを前記屈曲部２１ｃの突き出し側と反対側にある当該基部２１の面２１ｄによって構成するようにしてある。
【００３２】
かかる基部２１に備えられる支持突部２１Ｄは、この支持突部２１Ｄを支点として前記第１の弾性材１０と当該第２の弾性材２０とが互いの先端側を弾発状態に係合させて組付けられ、しかも、この組付け状態にある前記第１の弾性材１０を前記支持突部２１Ｄを支点として更に撓め得る構成、即ち、前記第２の弾性材２０の前記支持突部２１Ｄを支点とする弾性変形を解消する向きに該第２の弾性材２０の先端側を戻すと同時に該第１の弾性材１０を前記支持突部２１Ｄを支点として更に弾性変形させる向きに該第１の弾性材１０の先端側を移動させ得るように構成される。
【００３３】
かかる支持突部２１Ｄは、この図示例にあっては、前記基部２１における張り出し部２１ｂ間にある本体部２１ａから薄厚の蒲鉾状に隆起された弧状隆起部２１ｅとして構成してあり、その弧状頂端が前記第１の弾性材１０の支点として機能するようにしてあると共に、その厚さ側の両側にある弧状縁に沿って立上り突縁２１ｅ’を有し、この立上がり突縁２１ｅ’間を前記第１の弾性材１０の受け入れガイドする支持凹溝２２としてある。
【００３４】
かかる基部２１の両側方に向けて該基部２１に一体に備えられる弾性片部２３は、この図示例にあっては、前記張り出し部２１ｂの夫々の側端部から一体に該張り出し部２１ｂの突き出し方向の延長線方向に向けて備えられる構成としてあり、さらに、典型的には、該張り出し部２１ｂの夫々の先端部における前記弧状隆起部２１ｅの側から、この弾性片部２３と前記面２１ｂ’との間に段差面２１ｂ”を生ずるように該弾性片部２３を該張り出し部２１ｂの先端部に備えた構成としてあり、この張り出し部２１ｂの先端部から一体に突き出し状態に備えられる弾性片部２３と前記本体部２１ａとの間に該張り出し部２１ｂによって所定の間隔を生ずる構成としてある。
【００３５】
かかる基部２１から一体に突き出し状態に備えられている弾性片部２３は、前記複合バネ材Ａに所定の弾発性などをもたらし得る長さ及び断面積を備えたものとして構成してあり、この図示例にあっては、前記基部２１の張り出し部２１ｂの両側から略同寸法の突き出し長さを有するものとして設けられており、前記本体部２１ａと弧状隆起部２１ｅとの間に亙る向きを板厚方向とする板状の弾性片部２３として構成してある。
【００３６】
また、この図示例にあっては、この板状をなす弾性片部２３における長さ方向に亙って、この板状をなす弾性片部２３の厚さ方向に貫通するスリット２４を備えた構成としてあり、このスリット２４間に前記第１の弾性材１０を差し入れ組付け得る構成としてある。
【００３７】
また、この弾性片部２３の夫々の先端部には、前記支持突部２１Ｄを構成する弧状隆起部２１ｅの突き出し側と同一の側に向けて突き出すように接触突部２５が設けてあり、この接触突部２５の突き出し先端が弾発接触部２５’としてある。また、この弾発接触部２５’は当該複合バネ材Ａを向き合った面Ｃ’、Ｃ”間に用いる際などに当該複合バネ材Ａに十分な弾発性をもたらし得るに適した前記弾性片部２３からの突き出し幅を備えたものとして構成してある。
【００３８】
なお、この弾性片部２３の夫々の先端部に備えられる接触突部２５は、この図示例にあっては、前記板状をなす弾性片部２３における板幅の略全幅に亙って隆起した蒲鉾状の弧状隆起部２５ａとしてあり、その弧状頂端が前記弾発接触部２５’として構成してあって、この接触突部２５が当該複合バネ材Ａの弾発接触される対象物の面などに沿って比較的接触抵抗を受けない状態で滑らかに接触移動し得る構成としてある。
【００３９】
また、この弾性片部２３に備えられる接触突部２５を構成する前記弧状隆起部２５ａは、その幅側にある夫々の弧状縁を曲面状の面取り面２５ｂとしてあり、前記複合バネ材Ａが、当該複合バネ材Ａの接触突部２５を溝状部内に沿って移動可能に納め入れ用いるに都合の良い構成としてある。
【００４０】
かかる構成からなる前記弾性片部２３の先端部に前記スリット２４に連続するように当接凹溝２６が備えられており、この当接凹溝２６に前記第１の弾性材１０の端部１１ａを納め入れ状態で係合させる構成としてある。
【００４１】
かかる弾性片部２３に備えられる当接凹溝２６は、この弾性片部２３における前記接触突部２５の突き出し側と反対の側に、前記スリット２４に連通した状態で構成してあり、前記支持突部２１Ｄである弧状隆起部２１ｅに第１の弾性材１０の両端部間にある部分１１ｂ、より典型的には該第１の弾性材１０における中央部１１ｂ’を支持させて該スリット２４内を案内された当該第１の弾性材１０の夫々の端部１１ａを該スリット２４から前記当接凹溝２６内に導き入れて該当接凹溝２６の溝底に弾発状態に係合さて複合バネ材Ａを構成する。
【００４２】
かかる構成からなる弾性片部２３に備えられる前記当接凹溝２６は、その溝底が前記支持突部２１Ｄを構成する弧状隆起部２１ｅにおける頂端に対して前記本体部２１ａの側に位置する構成としてあり、この弧状隆起部２１ｅの頂端に前記第１の弾性材１０における両端部間にある部分１１ｂを支承状態として該第１の弾性材１０における夫々の端部１１ａを前記当接凹溝２６の溝底面に当接させた際に、この第１の弾性材１０と前記第２の弾性材２０とが、夫々の側端部側を互いに離れる向きに弾発付勢するように係合状態に組付けられる。
【００４３】
次いで、図１１は、他の実施の形態にかかる複合バネ材Ａを示すものであって、この図示例に係る複合バネ材Ａは、先に明らかにしたように、この複合バネ材Ａを構成する第１の弾性材１０を前記第２の弾性材２０よりも小さい断面積で安定した反発弾性を有する平板状の素材、即ち、前記の細長状弾性材１１に代えて、当該第１の弾性材１０を板状弾性材１１”によって構成したものであって、典型的には、鋼板などの板バネ材によって当該第１の弾性材１０を構成したものである。
【００４４】
かかる板状弾性材１１”を備えて構成される複合バネ材Ａを構成する第２の弾性材２０は、該第２の弾性材２０における前記スリット２４が前記板状弾性材１１”を幅側で納め入れ得る幅拡に構成してあり、また、このスリット２４に連通するように当該第２の弾性材２０に備えられる前記当接凹溝２６が同様に幅拡の状態とされており、また、この第２の弾性材２０に備えられる前記支持突部２１Ｄを構成する弧状隆起部２１ｅにおける各立上が突縁２１ｅ’間の間隔が同様に幅拡に構成してある。
【００４５】
このように用意された前記第１の弾性材１０と第２の弾性材２０とを、該第１の弾性材１０の両端間にある部分１１ｂを前記第２の弾性材２０における支持突部２１Ｄに支持させると共に、該第１の弾性材１０の夫々の端部１１ａを該第２の弾性材２０における弾性片部２３の先端側にある当接凹溝２６の溝底に弾発状態に係合させて複合バネ材Ａを構成する。
【００４６】
かかる構成からなる複合バネ材Ａは、前記基部２１における組付け部２１Ａを装着対象部材Ｂに組付けた状態で、互いに向き合っている一方の面Ｃ’に当該装着対象部材Ｂ又は前記接触先端部２１Ｂを接した状態で、この複合バネ材Ａにおける前記弾性片部２３に備えられている接触突部２５を前記面Ｃ’に向き合っている他方の面Ｃ”に弾発状態に接触させて当該面Ｃ’、Ｃ”間に備えることによって、この面Ｃ’、Ｃ”間において前記装着対象部材Ｂを弾発状態に保持させることができる。
【００４７】
また、かかる複合バネ材Ａは、この複合バネ材Ａを前記装着対象部材Ｂに組付けた状態で、当該複合バネ材Ａの備えられている側端部を該複合バネ材Ａと共に向き合っている面Ｃ’、Ｃ”間に納め入れ且つ該複合バネ材Ａにおける接触部２１Ｃを前記面Ｃ’、Ｃ”間に亙って備えられている面Ｃに当接させるように納め入れて、当該装着対象部材Ｂの側方への移動を前記面Ｃで阻止した状態で、前記向き合っている一方の面Ｃ’に当該装着対象部材Ｂ又は前記接触先端部２１Ｂを接しさせると共に前記弾性片部２３に備えられている接触突部２５を前記他方の面Ｃ”に弾発状態に接触させることによって、この面Ｃ’、Ｃ”間に前記装着対象部材Ｂを弾発状態に保持させることができる。
【００４８】
かかる複合バネ材Ａの備えられる装着対象部材Ｂは、面Ｃ’、Ｃ”間に弾性的に保持することを目的とするものであれば、いかなるものであってもよく、典型的には、この面Ｃ’、Ｃ”間において移動可能に弾発保持するもの、更に典型的には、この面Ｃ’、Ｃ”間に備えられる装着対象部材Ｂを更に当該面Ｃ’、Ｃ”間にある面Ｃによって当該面Ｃ側に向けた移動を阻止した状態で前記面Ｃ’、Ｃ”間に弾発状態で保持されるものに用いられる。
【００４９】
かかる複合バネ材Ａの備えられる典型的な装着対象部材Ｂとして、この図示例にあっては、板状をなす開閉蓋３０が示されている。
この複合バネ材Ａの備えられる開閉蓋３０は、互いに向き合っている一対の側縁部３０’、３０’に、互いに向き合うように溝状凹欠３０ａを設けてあり、この溝状凹欠３０ａに前記複合バネ材Ａを組付け用いるように構成してある。
【００５０】
なお、この図示例にあっては、かかる装着対象部材Ｂとして構成される開閉蓋３０の典型例として郵便受け箱Ｅにおける開閉蓋３０が示されており、この郵便受け箱Ｅにおける開閉蓋３０の上下方向を向いている一対の側縁部３０’の上部と下部とに、夫々向き合うように４個の前記溝状凹欠３０ａを設け、この各溝状凹欠３０ａに対して前記複合バネ材Ａを夫々備えさせて用いるように構成してある。
【００５１】
前記装着対象部材Ｂを構成する前記開閉蓋３０に対する前記複合バネ材Ａの典型的な組付けは、この図示例にあっては、前記基部２１に備えられている屈曲部２１ｃを先にして該基部２１の前記組付け部２１Ａを前記開閉蓋３０の溝状凹欠３０ａに差し入れると共に、この本体部２１ａに連続している前記張り出し部２１ｂの面２１ｂ’を該開閉蓋３０における一方側の面３０ｂに、また、前記屈曲部２１ｃの面２１ｃ’を該開閉蓋３０の他方の面３０ｃに夫々接しさせて、該開閉蓋３０として構成される装着対象部材Ｂの一方の側縁部３０’に沿った向きに該装着対象部材Ｂの面から離れて前記弾性片部２３を沿わせるように前記複合バネ材Ａを備えさせる構成としてある。
【００５２】
かかる複合バネ材Ａの備えられた装着対象部材Ｂとして構成される開閉蓋３０は、この図示例にあっては郵便受け箱Ｅの開口部Ｆの両側縁部に沿って備えられている一対のガイド溝Ｄに上下動自在に備えられた構成としてある。
かかる開閉蓋３０を案内するガイド溝Ｄは前記面Ｃ、Ｃ’、Ｃ”を備えたものとして構成されており、このガイド溝Ｄに前記開閉蓋３０をその両側部分を納め入れの状態で移動可能に組み入れてあり、この互いに向き合って当該郵便受け箱Ｅの開口部Ｆの両側縁部に沿って備えられている第１ガイド溝部４１に前記開閉蓋３０の両側縁部３０’が納め入れられており、また、この第１ガイド溝部４１の内奥側にあって、該第１ガイド溝部４１の溝底を溝壁面とする第２ガイド溝部４２内に当該複合バネ材Ａにおける前記弾性片部２３の接触突部２５を納め入れ案内させるように構成してある。
【００５３】
この図示例に係るガイド溝Ｄはアルミ押し出し形材などのガイドフレーム４０によって構成してあり、一対の側板部４０ａ、４０ｂと底板部４０ｃとによって第１ガイド溝部４１を構成し、また、この第１ガイド溝部４１を構成する前記一方の側板部４０ｂから該溝Ｄ内に突き出すように備えられる短寸状の突き出し板部４０ｄと前記底板部４０ｃとの間を該側板部４０ｂを溝底とする第２ガイド溝部４２として構成してあり、この第２ガイド溝部４２の連設側を同一の側にして該第１ガイド溝部４１を互いに向き合わせるように前記ガイドフレーム４０を前記開口部Ｆに設けてあると共に、この開口部Ｆに備えられる前記開閉蓋３０の両側縁部３０’を該ガイドフレーム４０の前記溝Ｄ内に移動可能に納め入れ状態に組付けてある。
【００５４】
かかるガイドフレーム４０の前記第１ガイド溝部４１と第２ガイド溝部４２に組付けられている前記開閉蓋３０は、この装着対象部材Ｂとして構成される開閉蓋３０の側縁部３０’を前記第１ガイド溝部４１内に入れ込み、この開閉蓋３０に備えられている前記複合バネ材Ａの前記接触部２１Ｃとして構成される面２１ｄを該第１ガイド溝部４１の溝底及び第２ガイド溝部４２の溝壁を構成する底板部４０ｃの面に接しさせると共に、この複合バネ材Ａの基部２１における接触先端部２１Ｂとして構成される面２１ｃ”を前記第１ガイド溝部４１の側板部４０ａの面に接しさせた状態で、この複合バネ材Ａにおける前記一対の接触突部２５を前記第２ガイド溝部４２内に納め入れ状態としてあり、この各接触突部２５を該第２ガイド溝部４２の溝底である側板部４０ｂの面に弾発状態に接触させて該装着対象部材Ｂである開閉蓋３０を備えた複合バネ材Ａを該各第１ガイド溝部４１及び第２ガイド溝部４２として構成される面Ｃ、Ｃ’、Ｃ”間に弾発状態で保持し、この装着対象部材Ｂとして構成される開閉蓋３０を前記開口部Ｆを開閉する向きに前記各ガイド溝Ｄに沿って移動可能で、しかも、その移動停止位置に弾持状態に保持し得る構成としてある。
【００５５】
【発明の効果】
この発明に係る複合バネ材は、第２の弾性材よりも小さな断面積をもって安定した反発弾性を有する第１の弾性材と、この第１の弾性材よりも成形の容易な素材からなる第２の弾性材とを備える複合バネ材であって、前記第２の弾性材が支持突部を突き出し状態に備えた基部と、該基部から該基部の両側方に向けて一体に備えられている一対の弾性片部と、該弾性片部の夫々の先端側に前記支持突部の突き出し側と同一の側に突き出すように備えられている接触突部とを有しており、前記第１の弾性材の両端部が夫々前記第２の弾性材における前記弾性片部の先端側を前記基部と反対方向に弾発させるように該第１の弾性材の両端間にある部分を前記第２の弾性材における支持突部に支持させ、且つ、該第１の弾性材の夫々の端部を該第２の弾性材における弾性片部の先端側に支持させてあると共に、前記接触突部の先端が前記複合バネ材における弾発接触部とされていることから、要請される所期の反発弾性を備え、しかも、各種の使用態様などに対応する形状、構造を備えた複合バネ材を容易に製作提供できる利点を有している。
【００５６】
また、前記構成の複合バネ材において、前記第１の弾性材が細長状弾性材であり、しかも、前記第２の弾性材における前記弾性片部が長さ方向に向けて厚さ方向に貫通するスリットを備え且つ該弾性片部の先端側の前記支持突部の突き出し側と反対の側に該スリットに連通する当接凹溝を備え且つ前記支持突部が該支持突部の先端部に該当接凹溝と同一の向きの支持凹溝を備えており、前記第１の弾性材の両端部が夫々前記第２の弾性材における弾性片部の先端側を前記基部と反対方向に弾発させるように該第１の弾性材の両端間にある部分を前記支持突部の支持凹溝の溝底に支持させ、且つ、該第１の弾性材の夫々の端部を前記スリットに連続されている前記当接凹溝の溝底に支持させる構成とすることによって、細幅で、しかも、簡素な構成で容易に組付け得る所期の弾性を備えた複合バネ材を確実且つ廉価に提供できる利点を有している。
【００５７】
また、前記構成の複合バネ材において、前記基部が、装着対象部材に対して前記弾性片部を接しないように組付ける組付け部を備えている構成としてあることから、装着対象部材を他の部材に対して緩衝又は弾発状態に確実に組み合わせることができる利点を有している。
【００５８】
また、前記構成の複合バネ材において、前記複合バネ材が互いに向き合った面間に備えられる複合バネ材であって、前記基部が、装着対象部材に対する組付け部と、この組付け部の先端側にある接触先端部とを有しており、該接触先端部を互いに向き合った面の一方の側の面に接し且つ前記弾性片部の接触突部を他方の側の面に接して前記面間に移動可能且つ弾発状態に備えられる構成としたことによって、装着対象部材を他の部材間に移動可能且つ弾発状態に容易に維持できる利点を有している。
【００５９】
また、前記構成の複合バネ材において、前記第２の弾性材をプラスチック製弾性材とすることによって、各種の形状、構造を有する第２の弾性材をプラスチック成形によって容易且つ確実に、しかも比較的安価に提供できる利点を有している。
【００６０】
また、前記構成の複合バネ材において、前記第１の弾性材を金属製弾性材とすることによって、小さな断面積で安定した反発弾性を有する金属製弾性材によって安定した弾発性を有する断面積の小さな複合バネ材を構成できる利点を有している。
【図面の簡単な説明】
【図１】典型的な一実施の形態に係る複合バネ材の部品を分離し、装着対象部材の要部と共に示す斜視図
【図２】同正面図
【図３】同複合バネ材の正面図
【図４】同複合バネ材の背面図
【図５】同複合バネ材を装着対象部材の要部と共に示す平面図
【図６】同底面図
【図７】同複合バネ材を装着対象部材の要部と共に示す右側面図
【図８】図５におけるＸ−Ｘ矢視断面図
【図９】図３におけるＹ−Ｙ切断端面図
【図１０】図３におけるＺ−Ｚ切断端面図
【図１１】他の実施の形態に係る複合バネ材の部品を分離して装着対象部材の要部と共に示す斜視図
【図１２】複合バネ材を用いる状態を示す斜視図
【図１３】同装着対象部材に取り付けた状態の断面図
【図１４】同複合バネ材を組み付けた状態を示す平断面図
【図１５】同縦断面図
【図１６】同切断位置を変えて示す縦断面図
【図１７】同複合バネ材を郵便受け箱に用いた状態を開閉蓋を閉じた状態で示す縦断面図
【図１８】同開閉蓋を開いた状態で示す縦断面図
【図１９】同開閉蓋を開いた状態の平断面図
【符号の説明】
Ａ  複合バネ材
Ｂ  装着対象部材
Ｃ  面
Ｄ  ガイド溝
１０  第１の弾性材
１１  細長状弾性材
１１ａ  端部
２０  第２の弾性材
２１  基部
２１Ａ  組付け部
２１Ｂ  接触先端部
２１Ｃ  接触部
２１Ｄ  支持突部
２２  支持凹溝
２３  弾性片部
２４  スリット
２５  接触突部
２６  当接凹溝
【図１】
0004338290.tif 000002
【図２】
0004338290.tif 000003
【図３】
0004338290.tif 000004
【図４】
0004338290.tif 000005
【図５】
0004338290.tif 000006
【図６】
0004338290.tif 000007
【図７】
0004338290.tif 000008
【図８】
0004338290.tif 000009
【図９】
0004338290.tif 000010
【図１０】
0004338290.tif 000011
【図１１】
0004338290.tif 000012
【図１２】
0004338290.tif 000013
【図１３】
0004338290.tif 000014
【図１４】
0004338290.tif 000015
【図１５】
0004338290.tif 000016
【図１６】
0004338290.tif 000017
【図１７】
0004338290.tif 000018
【図１８】
0004338290.tif 000019
【図１９】
0004338290.tif 000020